(57)【要約】【課題】ビルトインタイプの食器洗い機において、給水経路を短くすることで、洗浄槽の後部の給水経路収納空間をなくし、洗浄槽を大きく構成することが可能となり、より多くの食器を収納、洗浄するができる食器洗い機を提供する。【解決手段】筐体１７内に前後方向に移動可能に設置されるとともに上方に第２の開口部２６を有する洗浄槽２０と、筐体１７に備えられ第２の開口部２６を開閉する内蓋２７と、洗浄槽２０に給水をする給水手段３１とを備え、内蓋２７に内蓋給水経路３５が設けられ、給水手段３１から前記内蓋２７を経由して洗浄槽２０に給水する構成としたものであり、洗浄槽２０を大きく構成することが可能となり、より多くの食器類１９を収納、洗浄することができる。【選択図】図１
2010155062.tif 000002
【特許請求の範囲】
【請求項１】
第１の開口部を有する筐体と、前記第１の開口部を覆う扉体と、前記扉体より内側に配され前記筐体内に前後方向に移動可能に設置されるとともに上方に第２の開口部を有する洗浄槽と、前記筐体に備えられ前記第２の開口部を開閉する内蓋と、前記洗浄槽に給水をする給水手段とを備え、前記給水手段から前記内蓋を経由して前記洗浄槽に給水する構成とした食器洗い機。
【請求項２】
内蓋に給水経路が設けられ、給水手段は前記給水経路に接続する請求項１記載の食器洗い機。
【請求項３】
内蓋は、下面に第２の開口部を実質的に水密に閉じるシール手段と、後部に給水手段と接続する給水接続部と、前記洗浄槽に開口するとともに前記シール手段より内側に設けられる給水口とを有する請求項１または２記載の食器洗い機。
【請求項４】
給水口は、内蓋の前部に配置され、洗浄槽が筺体より引き出された状態で前記洗浄槽の第２の開口部の内側に位置するように形成される請求項１〜３のいずれか１項に記載の食器洗い機。
【発明の詳細な説明】
【技術分野】
【０００１】
本発明は洗浄ノズルより食器に向けて洗浄水を噴射して食器を洗浄するビルトインタイプの食器洗い機に関するものである。
【背景技術】
【０００２】
図４、図５に示すように、従来の一般的なビルトインタイプの食器洗い機は、システムキッチンに収容され、前方に第１の開口部１を有する筐体２の内部に設けた洗浄槽３は、前方に第１の開口部１を覆う扉体４と、上方に第２の開口部５を設け、内部に食器類６を収容する食器かご７を配置している。食器かご７の下方には洗浄ノズル８を回転自在に設けており、洗浄槽３内に溜めた洗浄水をポンプ９によって循環させ、洗浄ノズル８より噴射して食器類６を洗浄する。
【０００３】
また、洗浄槽３の左右の側部下方にはレール１０を固定し、筐体２に対して前後方向へ平行移動可能に支持されている。食器類６の出し入れを行う際には、扉体４に一体的に形成された把手部１１をつかみ、洗浄槽３を前方に引き出し、第２の開口部５より食器類６の収容をする。次に洗浄槽３を筐体２内に戻し、収納するとともに筐体２内の上部空間に待機していた内蓋１２が、筐体２内の左右の側面に配したリンク機構１３等により後方へ移動しつつ降下して洗浄槽３の第２の開口部５を閉塞するよう構成している。
【０００４】
また、筐体２の後部には、機外からの給水を中継する給水手段１４が設けられ、樹脂製あるいはゴム製のフレキシブルな給水経路１５によって洗浄槽３の後部に接続されている。給水経路１５は、洗浄槽３が筐体２から引き出された状態で必要な長さを有し、洗浄槽３が筐体２内に、所定に収容された状態で、洗浄槽３の後部に収容される。
【０００５】
運転を開始すると、給水手段１４によって洗浄槽３に給水し、洗浄槽３の底部に配置されたヒータ１６によって洗浄水を加熱しながら、洗浄ノズル８から食器類６に向かって噴射し、食器類６の汚れを落とす洗浄行程を行う。その後、食器類６をすすいだ後、乾燥行程を行って運転を終了するようになっている（例えば、特許文献１参照）。
【先行技術文献】
【特許文献】
【０００６】
【特許文献１】特開２０００−１３９７９９号公報
【発明の概要】
【発明が解決しようとする課題】
【０００７】
しかしながら、このような従来の食器洗い機の構成では、システムキッチン等に収容された筐体２は奥行き寸法が制限される。一方、その筐体２内に収容される洗浄槽３後部には、洗浄槽３が筐体２から引き出された状態で通水可能な長さを有した給水経路１５を収納できるよう空間を設ける必要があり、洗浄槽３の大きさが制限され、食器容量も必然的に制約されるという問題を有していた。
【０００８】
また、この問題点を解決するために、洗浄槽が前方に引き出されると洗浄槽と給水手段との接続が外れ、洗浄槽が後方に押し込まれ筐体内に収容されたときに洗浄槽と給水手段が接続される構成とした食器洗い機も提案されているが、このような構成の食器洗い機においても、洗浄槽が、筐体内に収容された状態のみで給水手段と接続するには、稼動する洗浄槽と給水手段とが、洗浄槽の引き出し、収容する毎に接続を繰り返すため、耐久性を含めた、シール性を確保するのが困難であるという問題を有していた。
【０００９】
本発明は、上記従来の課題を解決するもので、従来は洗浄槽に接続され、洗浄槽の前方への引き出し動作に必要な長さが必要であった給水経路を短くすることで、洗浄槽後部の給水経路収納空間をなくし、同じ奥行き寸法の筐体で、洗浄槽を大きく構成することが可能となり、より多くの食器を収納、洗浄することができる食器洗い機を提供することを目的としている。
【課題を解決するための手段】
【００１０】
本発明は上記目的を達成するため、第１の開口部を有する筐体と、前記第１の開口部を覆う扉体と、前記扉体より内側に配され前記筐体内に前後方向に移動可能に設置されるとともに上方に第２の開口部を有する洗浄槽と、前記筐体に備えられ前記第２の開口部を開閉する内蓋と、前記洗浄槽に給水をする給水手段とを備え、前記給水手段から前記内蓋を経由して前記洗浄槽に給水する構成としたもので、これにより、従来は洗浄槽に接続され、洗浄槽の前方への引き出し動作に必要な長さが必要であった給水経路を短くすることで、洗浄槽後部の給水経路収納空間をなくし、同じ奥行き寸法の筐体で、洗浄槽を大きく構成することが可能となり、より多くの食器を収納、洗浄することができる。
【発明の効果】
【００１１】
本発明の食器洗い機は、従来は洗浄槽に接続され、洗浄槽の前方への引き出し動作に必要な長さが必要であった給水経路を短くすることで、洗浄槽後部の給水経路収納空間をなくし、同じ奥行き寸法の筐体で、洗浄槽を大きく構成することが可能となり、より多くの食器を収納、洗浄することができる。
【図面の簡単な説明】
【００１２】
【図１】本発明の実施の形態１の食器洗い機の洗浄槽を筐体内に収納した状態の縦断面図
【図２】同食器洗い機の洗浄槽を筐体から引き出した状態の縦断面図
【図３】同食器洗い機の要部拡大断面図
【図４】従来の食器洗い機の洗浄槽を筐体内に収納した状態の縦断面図
【図５】同食器洗い機の洗浄槽を筐体から引き出した状態の縦断面図
【発明を実施するための形態】
【００１３】
第１の発明は、第１の開口部を有する筐体と、前記第１の開口部を覆う扉体と、前記扉体より内側に配され前記筐体内に前後方向に移動可能に設置されるとともに上方に第２の開口部を有する洗浄槽と、前記筐体に備えられ前記第２の開口部を開閉する内蓋と、前記洗浄槽に給水をする給水手段とを備え、前記給水手段から前記内蓋を経由して前記洗浄槽に給水する構成としたことにより、従来は洗浄槽に接続され、洗浄槽の前方への引き出し動作に必要な長さが必要であった給水経路を短くすることで、洗浄槽後部の給水経路収納空間をなくし、同じ奥行き寸法の筐体で、洗浄槽を大きく構成することが可能となり、より多くの食器を収納、洗浄することができる。
【００１４】
また、従来のように洗浄槽に給水経路を接続する必要がなくなるので、洗浄槽への給水口の加工が不要となり、洗浄槽の製造が容易になるともに、給水口および給水接続部での水漏れのおそれをなくすることができる。
【００１５】
さらに、洗浄槽には給水経路を接続しない構成としているので、洗浄槽の組み込みおよび取り外しの作業が容易であるのみならず、洗浄槽を組み込まない状態でも給水系の動作チェックが可能となるなど、製造時およびメンテナンス時の作業が格段に容易となる。
【００１６】
第２の発明は、上記第１の発明において、内蓋に給水経路が設けられ、給水手段は前記
給水経路に接続することにより、給水経路が内蓋と一体に形成あるいは内蓋内に組み込まれるので、従来に比べて給水経路の耐久性が向上し、長期に亘って給水系からの水漏れのない信頼性の高い食器洗い機を実現することができる。
【００１７】
第３の発明は、上記第１または第２の発明において、内蓋は、下面に第２の開口部を実質的に水密に閉じるシール手段と、後部に給水手段と接続する給水接続部と、前記洗浄槽に開口するとともに前記シール手段より内側に設けられる給水口とを有することにより、給水手段から洗浄槽に給水される際に、シール手段によって、洗浄槽の外部への水漏れを防ぐことができるため、接続構成を容易にしつつ、シール性を確保することができる。
【００１８】
第４の発明は、上記第１〜第３の発明のいずれかの発明において、給水口は、内蓋の前部に配置され、洗浄槽が筺体より引き出された状態で前記洗浄槽の第２の開口部の内側に位置するように形成される、給水手段が故障し給水が止まらなくなった場合に洗浄槽を引き出しても、給水口は、第２の開口部の内側、つまり投影範囲にあるため、給水を全て洗浄槽で受けることができ、食器洗い機の外へ水を漏らすことを防ぐことができる。
【００１９】
以下、本発明の実施の形態について、図面を参照しながら説明する。なお、この実施の形態によって本発明が限定されるものではない。
【００２０】
（実施の形態１）
図１および図２に示すように、システムキッチンに収容された筐体１７は、前面に第１の開口部１８を有し、筐体１７内に前後方向に移動自在に設けられ、食器類１９等の被洗浄物を収容し洗浄する洗浄槽２０には、洗浄槽２０が後方向に移動され筐体１７内に収納された時に第１の開口部１８を覆う扉体２１をその前方に設けている。
【００２１】
また、洗浄槽２０は、筐体１７の両側面内側に略水平方向に架設されたレール２２に沿って前後方向に引き出し自在となっており、内部に食器類１９を収容する食器かご２３を配置し、食器かご２３の下方には洗浄ノズル２４を回転自在に設けており、洗浄槽２０内に溜めた洗浄水を洗浄ポンプ２５によって循環させ、洗浄ノズル２４より噴射して食器類１９を洗浄するよう構成するとともに、上方に第２の開口部２６を有している。
【００２２】
また、筐体１７内の上方には第２の開口部２６を閉塞するための内蓋２７を配置し、前後一対のリンクを含む左右一対の平行リンク機構２８により上下動自在に支持されるとともに、この内蓋２７の下面には、降下したときに洗浄槽２０の第２の開口部２６をシールするシール手段２９が固定され、洗浄槽２０を引き出したとき、シール手段２９が洗浄槽２０の前後の移動に干渉しないよう上方に逃がす構成としている。
【００２３】
さらに、図３に示すように、内蓋２７の後部の外縁３０には、筐体１７の後部に設けられた、機外からの給水を中継する給水手段３１からの給水経路３２を接続する給水接続部３３と、シール手段２９内方に、筐体１７に収容した状態の洗浄槽２０の第２の開口部２６に向けて開口して設けた給水口３４と、給水接続部３３からの給水をシール手段２９の上方を通過し給水口３４へ導く内蓋給水経路３５とを一体的に形成している。また、給水経路３２は、内蓋２７内部に形成されている。具体的には、樹脂製の内蓋上部材２７ａ及び樹脂製の内蓋下部材２８ｂのそれぞれもしくは一方に溝を形成し、振動溶着などの溶着により内蓋上部材２７ａと内蓋下部材ｂとを溶着させて、給水経路３２を内部に有する内蓋２７を作ることができる。
【００２４】
さらに、給水口３４は、内蓋２７の全部に配置するとともに、洗浄槽２０を筺体１７より引き出した状態で、給水口３４が洗浄槽２０の第２の開口部２６の投影範囲内、つまり内側に配置している。
【００２５】
すなわち、従来の食器洗い機のように洗浄槽に設けた給水接続部に給水経路を接続するのではなく、給水経路の一部を内蓋給水経路３５として内蓋２７に設け、給水手段３１から給水経路３２および内蓋２７を経由して第２の開口部２６から洗浄槽２０内に給水する構成としている。
【００２６】
なお、シール手段２９は、リング状に形成され、内蓋２７の下面に四方の外縁に沿うように設けられており、上記の「シール手段２９内方に」との記載における「シール手段２９」は、内蓋２７の後部の外縁３０に対応して沿わせた部分を指す。
【００２７】
次に上記構成における食器洗い機の動作、作用について説明すると、洗浄槽２０の引き出し、収容の際に、給水接続部３３が内蓋２７の後部の外縁３０に設けられているため、給水手段３１から接続された給水経路３２は、洗浄槽２０が引き出され、内蓋２７が、平行リンク機構２８によって、筐体１７の前方上方へ移動する分の長さだけがあればよく、給水経路３２は短く構成できるため、収容空間がほとんど必要にならない。よって、洗浄槽２０の後部の給水経路収納空間を必要とせず、同じ奥行き寸法の筐体１７で、洗浄槽２０を大きく構成することが可能となり、より多くの食器を収納、洗浄することができる。
【００２８】
また、従来のように洗浄槽２０に給水経路３２を接続する必要がなくなるので、洗浄槽２０への給水口の加工が不要となり、洗浄槽２０の製造が容易になるともに、給水口および給水接続部での水漏れのおそれをなくすることができる。
【００２９】
さらに、洗浄槽２０には給水経路３２を接続しない構成としているので、洗浄槽２０の組み込みおよび取り外しの作業が容易であるのみならず、洗浄槽２０を組み込まない状態でも給水系の動作チェックが可能となるなど、製造時あるいはメンテナンス時の作業が格段に容易となる。
【００３０】
また、シール手段２９の内方に洗浄槽２０の第２の開口部２６に向けて給水口３４を設けているため、洗浄槽２０を筐体１７に収容した状態で、給水口３４と洗浄槽２０は、シール手段２９によって洗浄槽２０の外部に対してシールすることができるため、洗浄槽２０の出し入れの際に、給水口３４には余計な負荷などが生ずることなく、容易に接続することができるとともに、シール性を確保することができる。
【００３１】
また、洗浄槽２０を筺体１７より引き出した状態で、給水口３４が洗浄槽２０の第２の開口部２６の投影範囲内に配置しているので、給水手段が故障し給水が止まらなくなった場合に洗浄槽２０を引き出しても、給水口３４は、第２の開口部２６の内側、つまり投影範囲にあるため、給水を全て洗浄槽２０で受けることができ、食器洗い機の外へ水を漏らすことを防ぐことができる。
【００３２】
以上記載した本実施の形態の食器洗い機は、従来は洗浄槽２０に接続され、洗浄槽２０の前方への引き出し動作に必要な長さが必要であった給水経路３２を短くすることで、洗浄槽２０後部の給水経路３２収納空間をなくし、同じ奥行き寸法の筐体で、洗浄槽２０を大きく構成することが可能となり、より多くの食器を収納、洗浄することができる。
【００３３】
また、従来のように洗浄槽２０に給水経路を接続する必要がなくなるので、洗浄槽２０への給水口の加工が不要となり、洗浄槽２０の製造が容易になるともに、給水口および給水接続部での水漏れのおそれをなくすることができる。
【００３４】
さらに、洗浄槽２０には給水経路３２を接続しない構成としているので、洗浄槽２０の組み込みおよび取り外しの作業が容易であるのみならず、洗浄槽２０を組み込まない状態
でも給水系の動作チェックが可能となるなど、製造時およびメンテナンス時の作業が格段に容易となる。
【産業上の利用可能性】
【００３５】
以上のように、本発明にかかる食器洗い機は、給水経路を短くすることで、洗浄槽後部の給水経路収納空間をなくし、同じ奥行き寸法の筐体で、洗浄槽を大きく構成することが可能となり、より多くの食器を収納、洗浄することができるので、家庭用のビルトインタイプの食器洗い機のみならず、業務用の食器洗い機としても有用である。
【符号の説明】
【００３６】
１７  筐体
１８  第１の開口部
２０  洗浄槽
２１  扉体
２６  第２の開口部
２７  内蓋
２７ａ  内蓋上部材
２７ｂ  内蓋下部材
２９  シール手段
３１  給水手段
３２  給水経路
３３  給水接続部
３４  給水口
３５  内蓋給水経路（給水経路）
【図１】
2010155062.tif 000003
【図２】
2010155062.tif 000004
【図３】
2010155062.tif 000005
【図４】
2010155062.tif 000006
【図５】
2010155062.tif 000007